(57)【要約】【課題】捕集部にへばりついた毛髪、繊維くず、その他のゴミを容易に取り除くことのできる構成及び取り扱いが簡単なヘアキャッチャーを実現する。【解決手段】排水は、ヘアキャッチャー１の傾斜面部６に沿って流下し、底面部８に形成された丸孔９から排出され、丸孔９を通過できないゴミは、底面部８において捕集され、底面部８において捕集されたゴミを取り除くために清掃する際には、ヘアキャッチャー１の取手部５の把手１２と棒部材３の把持部１９を同時に掴むことにより、棒部材３が軸受２１で支持されて回動し、底面部８のゴミ捕集部４に溜まったゴミを簡単に引き剥がすことができる。【選択図】図２
2010229763.tif 000002
【特許請求の範囲】
【請求項１】
ゴミを捕集する捕集部と取手部を有したヘアキャッチャー本体と、捕集部に溜まったゴミを引き剥がす棒部材からなるヘアキャッチャーであって、棒部材の把持部とヘアキャッチャー本体の取手部とを一緒に掴むことができる位置に配したことを特徴とするヘアキャッチャー。
【請求項２】
請求項１に記載のヘアキャッチャーであって、棒部材が回動するための回動軸を有したことを特徴とするヘアキャッチャー。
【請求項３】
前記回動軸と同じ位置、または回動軸より上方においてヘアキャッチャー本体の取手部と棒部材の把持部に隙間が形成されていることを特徴とする請求項２に記載のヘアキャッチャー。
【請求項４】
請求項１に記載のヘアキャッチャーであって、棒部材が上下移動できるスライド機構を有していることを特徴とするヘアキャッチャー。
【請求項５】
棒部材の下部が自重でヘアキャッチャー本体に収まるように重くなっていることを特徴とする請求項１〜４のいずれか１つに記載のヘアキャッチャー。
【請求項６】
前記ヘアキャッチャー本体の上部をすり鉢状としたことを特徴とする請求項１〜５のいずれか１つに記載のヘアキャッチャー。
【請求項７】
ヘアキャッチャー本体の下部を円筒状に形成し、その底面部、あるいはすり鉢状の傾斜面部に、排水のための丸孔を複数設けたことを特徴とする請求項６に記載のヘアキャッチャー。
【請求項８】
把持部以外の棒部材表面と、ヘアキャッチャー本体が略同一面に収まるように、ヘアキャッチャー本体に窪みを設けたことを特徴とする請求項１〜７のいずれか１つに記載のヘアキャッチャー。
【発明の詳細な説明】
【技術分野】
【０００１】
本発明はヘアキャッチャーに関し、特に、浴室排水部に設置するヘアキャッチャーにおいて、取手を掴むと同時に、底面部のゴミ捕集部に溜まった毛髪、繊維くず、その他のゴミを引き剥がすことができる棒部材を設けたヘアキャッチャーに関する。
【背景技術】
【０００２】
従来、浴室の排水口に設置するヘアキャッチャーにおいて、複数の平面状斜面と、その平面状斜面の外縁部と交わる逆円錐台曲面からなる斜面を有し、平面状斜面の交線部に着脱可能なゴミ取り具を設けたものが知られている（特許文献１参照）。
【０００３】
さらに、浴室の排水口に設置するヘアキャッチャーにおいて、ヘアキャッチャーの形状に特徴を持たせて、ヘアキャッチャー自体へのゴミのへばりつきを防止するものが知られている（特許文献１参照）。
【先行技術文献】
【特許文献】
【０００４】
【特許文献１】特開２００７−１８２７１１号公報
【特許文献２】特開２００７−１９２０２４号公報
【発明の概要】
【発明が解決しようとする課題】
【０００５】
従来のヘアキャッチャーは、いずれもゴミがへばりついた場合に、清掃の際、ゴミを取り除くことが容易ではない。本発明は、ヘアキャッチャー、特に、ヘアキャッチャーの捕集部にへばりついたゴミを容易に取り除くことのできる、構成及び取り扱いが簡単なヘアキャッチャーを実現することを課題とする。
【課題を解決するための手段】
【０００６】
本発明は上記課題を解決するために、毛髪などのゴミを捕集する捕集部と取手部を有したヘアキャッチャー本体と、捕集部に溜まったゴミを引き剥がす棒部材からなるヘアキャッチャーであって、棒部材の把持部とヘアキャッチャー本体の取手部とを一緒に掴むことができる位置に配したことを特徴とするヘアキャッチャーを提供する。
【０００７】
本発明のヘアキャッチャーでは、棒部材が回動するための回動軸を有していることが好ましい。
【０００８】
本発明のヘアキャッチャーでは、前記軸と同じ位置、または軸より上方において本体の取手部と棒部材の把持部に隙間が形成されていることが好ましい。
【０００９】
棒部材が上下移動できるスライド機構を有していることが好ましい。
【００１０】
本発明のヘアキャッチャーでは、棒部材の下部が自重でヘアキャッチャー本体に収まるように重くなっていることが好ましい。
【００１１】
前記ヘアキャッチャー本体の上部をすり鉢状とすることが好ましい。
【００１２】
ヘアキャッチャー本体の下部を円筒状に形成し、その底面部、あるいはすり鉢状の傾斜面部に、排水のための丸孔を複数設けていることが好ましい。
【００１３】
把持部以外の棒部材表面と、ヘアキャッチャー本体が略同一面に収まるように、ヘアキャッチャー本体に窪みを設けることが好ましい。
【発明の効果】
【００１４】
本発明のヘアキャッチャーは、ヘアキャッチャーを取り外す際にヘアキャッチャー本体の取手部と棒部材の把持部を同時に掴むことによって、棒部材をヘアキャッチャー本体のゴミ捕集部から引き剥がすことで、ゴミを簡単に取り除くことができる。
【図面の簡単な説明】
【００１５】
【図１】本発明のヘアキャッチャーの実施例１の構成を示す図であり、（ａ）はその斜視図であり、（ｂ）はその側面図であり、（ｃ）は棒部材の側面図である。
【図２】本発明のヘアキャッチャーの実施例１の構成を示す図であり、（ａ）はその斜視図及び要部拡大図であり、（ｂ）はその側面図である。
【図３】実施例１において、アキャッチャー及び排水孔に取り付けるために必要な部品を説明する図である。
【図４】実施例１において、（ａ）は排水ケース等を排水孔に取り付けた状態を示す図であり、（ｂ）はさらにヘアキャッチャーを排水孔に取り付けた状態を示す図である。
【図５】本発明のヘアキャッチャーの実施例２の構成を示す図であり、（ａ）は取手部の斜視図であり、（ｂ）は棒部材の要部を示す斜視図であり、（ｃ）、（ｄ）は棒部材を取手部に取り付けた状態を示す要部斜視図である。
【図６】実施例２において、（ａ）は棒部材を示す側面図であり、（ｂ）、（ｃ）は、ヘアキャッチャーの作用を説明する図である。
【発明を実施するための形態】
【００１６】
本発明に係るヘアキャッチャーを実施するための形態を実施例に基づき図面を参照して、以下説明する。
【実施例１】
【００１７】
図１及び図２は、本発明に係るヘアキャッチャーの実施例１の構成を示す図である。このヘアキャッチャー１は、ヘアキャッチャー本体２と棒部材３を備えている。ヘアキャッチャー本体２は、毛髪、繊維くず、その他のゴミ（単に「ゴミ」という。）を捕集する捕集部４と取手部５を有している。棒部材３は、捕集部４に溜まったり、へばりついたりしたゴミを引き剥がす部材である。
【００１８】
ヘアキャッチャー本体２は、上部はすり鉢状に形成し傾斜面部６を有する。下部は円筒状に形成し、この円筒部７（下部の円筒状の部分）は底面部８を有し、この底面部８が捕集部４を構成している。この底面部８には、排水のための丸孔９が貫通して複数設けられている。また、すり鉢状の傾斜面部６にも、排水のための丸孔９が貫通して複数設けられている。
【００１９】
この丸孔９の大きさは、直径３〜６ｍｍ程度である。傾斜面部６の外周面の一部には、外周面に沿って湾曲状の突縁１０が形成されている。突縁１０は、後記するが、適用する排水孔２６にアダプタ３１を介して取り付ける（図３、４参照）ために形成されている。
【００２０】
取手部５は、ヘアキャッチャー本体２において、そのすり鉢状の傾斜面部６の周囲のフランジ縁１１の一部から上方に突設され、その上端には水平に伸びる把手１２が形成されている。なお、この実施例１では、取手部５の両側には、すり鉢状の傾斜面部６のフランジ縁１１から上方に伸びる補強部１３が一体的に形成されている。
【００２１】
棒部材３は、図１（ａ）〜（ｃ）に示すように、底面部８に沿う水平部１４と、この水平部１４から円筒部７に沿うように上方に伸びる下方起立部１５と、この下方起立部１５から傾斜面部６に沿う傾斜部１７と、この傾斜部１７から上方に伸びる上方起立部１８と、この上方起立部１８から斜め上方に「く」の字型に屈曲して伸びる把持部１９とから一体に形成されている。
【００２２】
棒部材３は、その上方起立部１８と把持部１９との境界部において、両側方に向け回動軸２０が設けられている。この回動軸２０は、図２（ａ）の要部Ａ拡大図に示すように、取手部５の内面に設けた軸受２１で回動可能に支持され、これにより、棒部材３が取手部５に対して回動可能となる。
【００２３】
把持部１９以外の棒部材３の表面と、ヘアキャッチャー本体２が略同一面に収まるように、ヘアキャッチャー本体２の傾斜面部６、円筒部７及び底面部８に、溝状の窪み２２が連続して形成されている。そして、回動軸２０より上方において、棒部材３の把持部１９は、取手部５から離れる方向に「く」の字型に屈曲して斜め上方に伸び、取手部５との間に隙間２３が設けられるように形成されている。
【００２４】
また、軸受２１を取手部５から離れる方向に若干突設し、回動軸２０が設けられている位置（回動軸と同じ位置）を含めて、棒部材３と取手部５との間に隙間２３が設けられるような構成としてもよい。
【００２５】
棒部材３の下部における水平部１４の先端は、他の部分より重く形成されている。例えば、水平部１４の先端を、棒部材３の幅より側方に膨出した円形部２４の形状にすることで、面積を大きくして、棒部材３の他の部分より重く形成することができる。なお、この円形部２４に対応して、窪み２２も平面視で円形部に形成されている。
【００２６】
これにより、棒部材３は、その自重で軸受２１で支持され回動軸２０を中心にして、図１（ｂ）において反時計方向へのモーメントが作用し、上記のとおり、把持部１９以外の棒部材３表面と、ヘアキャッチャー本体２の表面が略同一面になるように、ヘアキャッチャー本体２の窪み２２内に収まる。なお、棒部材３は、防汚・抗菌効果を得るために、銅等の材料で製造しても良い。
【００２７】
（作用）
以上の構成から成るヘアキャッチャー１を排水孔２６へ装着するための構成、及びヘアキャッチャー１の作用について、図３及び図４を中心にして以下説明する。図３は、ヘアキャッチャー１を、図４（ｂ）に示すように、浴室の洗い場の床２５に設けられた排水孔２６に取り付けるための部品を示す。これらの部品は、排水ケース２７、排水筒２８及びアダプタ３１であり、その他に防水用のシール３７、３９である。
【００２８】
浴室の洗い場の床２５に形成された排水孔２６に、図４（ａ）、（ｂ）に示すように、排水ケース２７が設置される。排水ケース２７の側壁４１には排水ケース２７の内部と連通する排出管２９が一体に形成されている。この排水ケース２７内には、下端が開口した排水筒２８が、その上端部をシール３９を介してアダプタ３１の下端フランジ４０に引っかけて装着される。
【００２９】
排水孔２６に排水ケース２７を設置するには、図４（ａ）に示すように、排水ケース２７のフランジ３０とアダプタ３１のフランジ３２との間に、シール３７を介して、排水孔２６に形成された棚部３３を挟んだ状態とする。そして、排水ケース２７の内周面に形成されたネジ３４に、上方からアダプタ３１の外周面に形成されたネジ３５を螺合し、棚部３３を締め付けるようにして、アダプタ３１を排水ケースのフランジ３０に締着する。これにより、排水ケース２７を排水孔２６内に設置することができる。
【００３０】
そして、ヘアキャッチャー１を排水ケース２７に装着するためには、図４（ｂ）に示すように、ヘアキャッチャー１の外面に形成された湾曲状の突縁１０を、アダプタ３１の内面に周方向に隔設された受け縁３６に、水平回動するようにして装入し、ヘアキャッチャー１をアダプタ３１に装着する。これにより、ヘアキャッチャー１は、排水ケース２７に装着することができる。
【００３１】
ヘアキャッチャー１が、排水ケース２７内に装着され、使用に供される状態では、棒部材３は、その下部の重量により、軸受２１で支持された回動軸２０を中心にしてキャッチャー本体２側へ回動するモーメントが作用しており、ヘアキャッチャー本体２の底面部８の窪み２２内にヘアキャッチャー本体２と略同一面になるように収まっている。
【００３２】
図４（ｂ）に示すように、排水蓋３８の周囲から排水孔２６内に流れ込んだ排水は、ヘアキャッチャー１の傾斜面部６に沿って流下し、円筒部７内に渦状になって流れ込む。そして、このように流下する排水は、傾斜面部６に形成された丸孔９から一部排出され、さらに、底面部８に形成された丸孔９から排出される。排水は、さらに排水筒２８の下方から排水ケースの堰部４２を超えて外側に流れて、排出管２９から排水路等に排出される。
【００３３】
底面部８の丸孔９を通過できないゴミは、底面部８で捕集される。そして、ヘアキャッチャー１に捕集されたゴミを取り除き、清掃する際には、ヘアキャッチャー１をアダプタ３１から取り外す。この際、取手部５の把手１２と棒部材３の把持部１９を同時に掴むことにより、図２（ｂ）に示すように、棒部材３の把持部１９を取手部５側に引き寄せ、軸受２１で支持された回動軸２０を中心にして棒部材３は時計針方向に回動することができる。
【００３４】
これにより、底面部８のゴミ捕集部４に溜まったりへばりついたりしたゴミを簡単に引き剥がすことができる。そして、ヘアキャッチャー１を上下逆さにすれば、捕集部４に溜まったゴミが下方に落下するので手で触れずにゴミを除去することができる。なお、ヘアキャッチャー１をアダプタ３１から取り外すことなく装着したまま、棒部材３を回動させて、ゴミ捕集部４に溜まったゴミを簡単に引き剥がして、それを指でつまんで除去してもよい。
【００３５】
前記したとおり、棒部材３は、ヘアキャッチャー本体２の窪み２２内にヘアキャッチャー本体２と略同一面になるように収まり、ヘアキャッチャー本体２の表面に凹凸が生じることなくなめらかである。これにより、ヘアキャッチャー本体２と棒部材３との間で凹凸があることによって生じる、排水の流れの乱れが少なくなり、傾斜面部６、円筒部７及び底部８に沿ってなめらかに流れることができる。
【００３６】
さらに、ヘアキャッチャー本体２と棒部材３との間で凹凸があることにより生じる、凹凸へのゴミ等の付着や詰まり等が生じることがなく、また、スポンジなどでヘアキャッチャー本体２の内表面の清掃がし易い。
【実施例２】
【００３７】
図５及び図６は、本発明に係るヘアキャッチャーの実施例２の構成、作用を説明する図である。この実施例２は、実施例１とほぼ同じ構成であるが、次の点で一部異なる。即ち、実施例２のヘアキャッチャー１’も実施例１のヘアキャッチャー１と同様に、棒部材をヘアキャッチャー本体の窪み２２内にヘアキャッチャー本体と略同一面になるように収め、ヘアキャッチャー本体の取手部と棒部材の把持部を同時に把持することで、底面部８に対して上方に移動して離れる構成としている。
【００３８】
しかし、実施例２においては、棒部材は、実施例１のようにヘアキャッチャー本体２に対し回動して底面部８から離れるのではなく、スライドして上方に移動するような構成とした点を特徴とする。以下、実施例２について、実施例１と異なる構成を中心に詳細に説明する。実施例２について、実施例１と同じ構成ついては、その説明を省略し、また符号は同じとする。
【００３９】
実施例２において、図６（ｂ）、（ｃ）に示すヘアキャッチャー本体２’の取手部５’には、図５（ａ）に示すように、その垂直部分４６に垂直孔４７と水平孔４８から成るＴ字型の貫通孔４９が形成されている。水平孔４８は、その上縁５０が取手部５’の把手１２’の下面５１とほぼ同じ高さとなるような位置に形成されている。
【００４０】
図６（ａ）は、実施例２のヘアキャッチャー１’における棒部材３’の全体構成を示す側面図であり、この図に示すように、棒部材３’は実施例１の棒部材３とほぼ同じである。しかし、棒部材３’は、実施例１の棒部材３のように取手部５に回動可能に取り付けられるものではなく、従って、回動軸２０は突設されていない。図６（ａ）及びその詳細を示す図５（ｂ）に示すように、棒部材３’の上端部には、上方起立部１８’の上端から、細幅部５２を介して水平に伸びる水平な把持部５３が形成されている。
【００４１】
棒部材３’は、図５（ｄ）、図６（ｃ）に示すように、その水平な把持部５３が、取手部５’の水平孔４８を通して取手部５’の把手１２’の下方に差し込まれる。さらに、棒部材３’の細幅部５２を垂直孔４７を通して下降させる。すると、図５（ｃ）、図６（ｂ）に示すように、取手部５’の把手１２’とその下方の水平な把持部５３の間に間隔５４をおくような状態で、棒部材３’は取手部５’に取り付けられる。
【００４２】
（作用）
以上の構成から成る実施例２のヘアキャッチャー１’の作用について説明する。図６（ｂ）に示すように、棒部材３’をヘアキャッチャー本体２’の窪み２２内にヘアキャッチャー本体２’と略同一面になるように収めた状態で、浴室の洗い場の床に形成された排水孔に装着する。
【００４３】
ヘアキャッチャー１’を排水孔に装着するためには、図３及び図４（ａ）に示す排水ケース２７、排水筒２８、アダプタ３１及びシール３７、３９等を使用して取り付け、その取付構造、作用は、図４（ｂ）に示すような実施例１と同様の構成、作用である。
【００４４】
使用に際しては、ヘアキャッチャー１’は図６（ｂ）に示す状態で排水孔に装着され、底面部８の丸孔９を通過できないゴミは、底面部８で捕集される。そして、ヘアキャッチャー１’に捕集されたゴミを取り除き、清掃する際には、ヘアキャッチャー１’を排水孔から取り外す。
【００４５】
その際、取手部５’の把手１２’と棒部材３’の把持部５３を同時に掴むことにより、図５（ｄ）、図６（ｃ）に示すように、棒部材３’の把持部５３を把手１２’側に引き寄せることとなり、棒部材３’は、その上方起立部１８’が取手部５’の垂直部分４６に沿って上方にスライドし、底面部８から離れる。
【００４６】
これにより、底面部８のゴミ捕集部４に溜まったりへばりついたりしたゴミを簡単に引き剥がすことができる。そして、ヘアキャッチャー１’を上下逆さにすれば、自重によりゴミが下方に落下するので手で触れずにゴミを除去することもできる。
【００４７】
以上、本発明に係るヘアキャッチャーを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４８】
本発明に係るヘアキャッチャーは上記のような構成であるから、浴室の洗い場の床に設けた排水孔だけでなく、洗面ボウル、キッチン洗い場等の排水孔にも適用可能である。
【符号の説明】
【００４９】
（実施例１）
１  ヘアキャッチャー            
２  ヘアキャッチャー本体        
３  棒部材                      
４  捕集部                      
５  取手部                      
６  傾斜面部                      
７  円筒部                      
８  底面部                  
９  丸孔                        
１０  湾曲状の突縁              
１１  フランジ縁                
１２  取手部の把手
１３  補強部              
１４  棒部材の水平部            
１５  棒部材の下方起立部        
１７  棒部材の傾斜部            
１８  棒部材の上方起立部        
１９  棒部材の把持部            
２０  回動軸                    
２１  軸受                      
２２  窪み                      
２３  隙間                      
２４  円形部                    
２５  浴室の洗い場の床          
２６  排水孔                    
２７  排水ケース                
２８  排水筒                    
２９  排出管                    
３０  排水ケースのフランジ
３１  アダプタ      
３２  アダプタのフランジ        
３３  排水孔に形成された棚部    
３４  排水ケースの内周面のネジ  
３５  アダプタの外周面のネジ
３６  アダプタの内周面の受け縁
３７、３９  シール
３８  排水蓋
４０  アダプタの下端フランジ
４１  排水ケースの側壁
４２  排水ケースの堰部
（実施例２）
１’  ヘアキャッチャー
２’  ヘアキャッチャー本体
３’  棒部材
５’  取手部
１２’  取手部の把手
１８’  棒部材の上方起立部
４６  取手部の垂直部分
４７  垂直孔
４８  水平孔
４９  Ｔ字型の貫通孔
５０  水平孔の上縁
５１  把手の下面
５２  棒部材の細幅部
５３  棒部材の水平な把持部
５４  把手と把持部の間の間隔
【図１】
2010229763.tif 000003
【図２】
2010229763.tif 000004
【図３】
2010229763.tif 000005
【図４】
2010229763.tif 000006
【図５】
2010229763.tif 000007
【図６】
2010229763.tif 000008